【手続補正書】
【提出日】平成19年6月22日(2007.6.22)
【手続補正１】
【補正対象書類名】明細書
【補正対象項目名】特許請求の範囲
【補正方法】変更
【補正の内容】
【特許請求の範囲】
【請求項１】  着用者の首の外方に向いた第１のポート、前記着用者の気管内に向いた第２のポート、前記第１のポートを前記第２のポートに接続し前記着用者の吸気の時には前記第１のポートから前記第２のポートへ気体を流し前記着用者の呼気の時には前記第２のポートから気体を流すことを許容する第１の通路、および、前記第１のポートおよび前記第２のポート間に配置された第３のポートとを有する外部カニューレと、着用者が咽頭を介して呼気を可能とするのを望むとき、前記第１のポートを介して前記第１の通路内に挿入される内部カニューレと、を組み合わせた装置であって、前記内部カニューレは、前記第１のポート近傍を向く第４のポートと、前記第２のポート近傍を向く第５のポートと、前記第４のポートを前記第５のポートに接続し前記着用者の吸気の時には前記第４のポートから前記第５のポートを通って気体を流すことを許容し、前記着用者の呼気の時には前記第４のポートからの気体の流れを阻害する第２の通路とを含み、弁が、前記第３のポートを通る気体の流れを制御し、前記弁は、第１の向きにおいて、前記第４のポートが前記第５のポートより圧が高いとき、前記第４のポートから前記第５のポートへ気体を流すことを許容し、第２の向きにおいて、前記第５のポートが前記第４のポートより圧が高いとき、前記第４のポートからの流れを阻害することを特徴とする装置。
【請求項２】  着用者の首の外方に向いた第１のポート、前記着用者の気管内に向いた第２のポート、前記第１のポートを前記第２のポートに接続し前記着用者の吸気の時には前記第１のポートから前記第２のポートへ気体を流し前記着用者の呼気の時には前記第２のポートから気体を流すことを許容する第１の通路、および、前記第１のポートおよび前記第２のポート間に配置された第３のポートとを有する外部カニューレと、第３のポートと通って流れを制御するバルブと、着用者が咽頭を介して呼気を可能とするのを望むとき、前記第１のポートを介して前記第１の通路内に挿入される内部カニューレとを含む気管切開装置であって、前記内部カニューレは、前記第１のポート近傍を向く第４のポートと、前記第２のポート近傍を向く第５のポートと、前記第４のポートを前記第５のポートに接続し前記着用者の吸気の時には前記第４のポートから前記第５に気体を流すこと、及び前記着用者の呼気の時には前記第５のポートから気体を流すことを許容し、前記弁は、第１の向きにおいて、前記第１のポートが前記第２のポートより圧が高いとき、前記第１のポートから前記第２のポートへ気体を流すことを許容し、第２の向きにおいて、前記第２のポートが前記第１のポートより圧が高いとき、前記第２のポートから前記第３のポートを介して気体を流すことを許容し、前記第４のポートからの気体の流れを阻害することを特徴とする装置。
【請求項３】  前記弁は可動部材と座とを含み、前記可動部材は、前記第４のポートが前記第５のポートより圧が高いとき、前記座から離れる方向へ移動し、気体が前記第４のポートから前記第５のポートを通って流れるのを許容し、前記第４のポートが前記第５のポートより圧が低いとき、前記座に対して当接して前記第５のポートから前記第４のポートを通って気体が流れることを阻害し、前記第３のポートを通って流れることを促進することを特徴とする請求項１または２の装置。
【請求項４】  前記座は前記第２の通路内に設けられることを特徴とする請求項３の装置。
【請求項５】  前記座は前記第１の通路内に設けられることを特徴とする請求項３の装置。
【請求項６】  第２の座を含み、前記可動部材は、前記第４のポートが前記第５のポートより圧が高いとき、前記第２の座に向かって移動し前記第３のポートを通る流れを阻害し、前記第４のポートが前記第５のポートより圧が低いとき、前記第２の座から離れるように移動し前記第３のポートを通る流れを許容することを特徴とする請求項１〜５のいずれかの装置。
【請求項７】  前記弁は可動部材と座とを含み、前記可動部材は、前記第４のポートが前記第５のポートより圧が高いとき、前記座のほうに動いて前記第４のポートから前記第３のポートへと気体を流すことを阻害し、前記第４のポートが前記第５のポートより圧が低いとき、前記座から離れて前記第５のポートから前記第３のポートを通って気体が流れるのを許容することを特徴とする請求項１〜６のいずれかの装置。
【請求項８】  前記弁に対して選択的に干渉するように移動可能な部材を含み、前記部材は前記弁が第２の向きへ移動するのを防止することを特徴とする請求項１〜７のいずれかの装置。
【請求項９】  前記外部カニューレは前記第３のポートを覆うための可撓性部材を含むことを特徴とする請求項１〜８のいずれかの装置。
【請求項１０】  前記可撓性部材および前記外部カニューレは、前記可撓性部材を前記外部カニューレに取り付けるための相補的な第１および第２のアタッチメント部材をそれぞれ含み、前記第２のアタッチメント部材は前記第３のポート内に位置する取付位置を有し、前記取付位置にて前記第１のアタッチメント部材を前記第２のアタッチメント部材に取り付けることを特徴とする請求項９の装置。
【請求項１１】  前記可撓性部材はスリットを有する可撓性の膜を有することを特徴とする請求項９の装置。
【請求項１２】  前記可撓性部材は前記第３のポートを覆うためのフラップを有することを特徴とする請求項９の装置。
【請求項１３】  前記外部カニューレは、前記第２のポートおよび前記第３のポート間における膨張可能なカフと、前記カフに膨張流体を導入するための第３の通路とを含み、前記着用者の気管内における自然位（ｉｎ  ｓｉｔｕ）にて前記カフが膨張しているとき、前記カフと前記気管との間を前記流体が流れるのを阻害することを特徴とする請求項１〜１２のいずれかの装置。
【請求項１４】  着用者の首の外方を向いた第１のポートと、前記着用者の気管内に向いた第２のポートと、前記第１のポートと前記第２のポートとの間の第１の通路であって前記着用者の吸気の時には前記第１のポートから前記第２のポートへ気体を流し前記着用者の呼気の時には前記第２のポートから気体を流すことを許容する第１の通路とを有し、かつ、熱可塑性物質から形成された一部を有し、前記一部は、前記一部が実質的に体温以下を維持している時には第１の概略湾曲した形状を有し、前記一部が実質的に体温まで暖められた時には第２の、いくらか逆Ｌ形状をなすことを特徴とする気管切開カニューレ。
【請求項１５】  着用者の首の外方に向いた第１のポートと、前記着用者の気管内に向いた第２のポートと、前記着用者の吸気の時には前記第１のポートから前記第２のポートへ気体を流し前記着用者の呼気の時には前記第２のポートから気体を流すことを許容する前記第１のポートと前記第２のポートとの間の第１の通路とを有する気管切開カニューレであって、該気管切開カニューレは、第１の材質から形成された一部を有し、第２の材質から形成される探り針を有し、第１の材質は第２の材質より可撓性を有し、前記探り針は概略湾曲した形状を有し、該気管切開カニューレは、前記探り針が前記第１の通路へ挿入されていない時にはいくらか逆Ｌ形状をなし、前記探り針が前記第１の通路へ挿入された時には概略湾曲した形状をなすことを特徴とする気管切開カニューレ。